(57)【要約】【課題】画像形成装置において、記録紙の紙厚が大きくても、１枚ずつ適正に筐体内部に給紙可能にする。【解決手段】画像形成装置は、記録紙Ｐが立てかけられるように装填される給紙トレイ２と、筐体６の通紙面６ａに記録紙Ｐの先端部が当接するように配置された摩擦パッド２１とを有している。摩擦パッド２１は、記録紙Ｐの搬送方向Ｆの上流部位２１ｓと下流部位２１ｈとが互いに異なるゴム材料を用いていわゆる２色成型により構成されている。下流部位２１ｈは、上流部位２１ｓよりも硬度の高い樹脂を用いて構成されており、記録紙Ｐのうち給紙ローラが当接して搬送される記録紙Ｐ０が摩擦パッド２１の下流部位２１ｈに摺接すると、搬送方向Ｆに対する抵抗力が小さくなって記録紙Ｐ０が搬送方向Ｆにスライドしやすくなる。従って他の記録紙Ｐから記録紙Ｐ０が１枚だけ分離されやすく、記録紙Ｐが１枚ずつ筐体６の内部に給紙される。【選択図】図５
2008150167.tif 000002
【特許請求の範囲】
【請求項１】
筐体と、
前記筐体の背面側に設けられ、記録紙が、その先端部が前記筐体に当接した状態で立てかけられ装填される給紙トレイと、
前記筐体に取り付けられ、前記給紙トレイに装填された記録紙の先端部に当接するように配置されたゴム部材からなる摩擦パッドと、
前記給紙トレイに装填された記録紙のうち最も上方の記録紙に当接した状態で回動し、その記録紙を、前記摩擦パッドに摺接させながら前記筐体内部に略水平に給紙する給紙ローラと、
前記給紙ローラにより給紙された記録紙を筐体内部で搬送する搬送手段と、
前記搬送手段により搬送されている記録紙の上に画像を形成する画像形成手段と、
前記画像形成手段により画像が形成された記録紙を装置外部に搬送する排紙手段と、
前記排紙手段により搬送され、前記筐体の外部に排出された記録紙を受け止めるための排紙トレイと、
前記筐体内部に設けられ、前記給紙手段、前記画像形成手段、及び前記排紙手段の動作を制御する制御部とを備え、
前記摩擦パッドは、その上部に、記録紙の搬送方向が長手方向となるように形成された摩擦部を有しており、記録紙の給紙時に、前記給紙ローラに当接する記録紙が、前記摩擦部に摺接しながら筐体内部に搬送され、その他の記録紙は、前記摩擦部に当接していることにより前記給紙トレイに保持された状態で維持されるように構成された画像形成装置であって、
前記摩擦パッドは、前記記録紙の搬送方向の略中央部を境に、搬送方向上流側の部位と搬送方向下流側の部位とで互いに異なる材質のゴム部材を用いて一体に構成されており、前記記録紙の搬送方向下流側の部位は、搬送方向上流側の部位を構成するゴム部材よりも硬度が高いゴム部材により構成されており、
それにより、紙厚が大きい記録紙であっても、適正に１枚ずつ前記筐体内部に給紙されるように構成されていることを特徴とする画像形成装置。
【請求項２】
筐体と、
前記筐体に設けられており、記録紙が立てかけられるようにして装填される給紙トレイと、
前記給紙トレイに装填された記録紙の先端部が当接するように前記筐体に取り付けられた樹脂製の摩擦パッドとを有し、
前記給紙トレイに装填された記録紙を、前記摩擦パッドに摺接させながら前記筐体内部に略水平に給紙し、給紙された記録紙を前記筐体内部で搬送しながら画像を形成する画像形成装置であって、
前記摩擦パッドは、前記摩擦パッドの前記記録紙の搬送方向上流側の部位よりも搬送方向下流側の部位のほうが、前記摩擦パッドの硬度が高くなるように構成されていることを特徴とする画像形成装置。
【請求項３】
前記摩擦パッドは、前記記録紙の搬送方向の略中央部を境に、搬送方向上流側の部位と搬送方向下流側の部位とで互いに異なる硬度の樹脂を用いて一体成型されており、前記記録紙の搬送方向下流側の部位は、搬送方向上流側の部位を構成する樹脂よりも硬度が高い樹脂により構成されていることを特徴とする請求項２に記載の画像形成装置。
【発明の詳細な説明】
【技術分野】
【０００１】
本発明は、給紙トレイに装填された記録紙を１枚ずつ筐体内部に給紙し、その記録紙に画像を形成する画像形成装置に関する。
【背景技術】
【０００２】
従来より、小型の画像形成装置では、記録紙の載置面が筐体に向け傾斜しているような給紙トレイが用いられている。このような画像形成装置では、給紙トレイに立てかけられた状態から略水平に、記録紙を通紙面に沿わせて姿勢を変えつつ、記録紙を筐体内部に給紙する。例えば、特許文献１参照に示された画像形成装置では、給紙トレイに複数の記録紙を保持し、且つその記録紙を１枚ずつ筐体内部に給紙するために、給紙トレイに装填された記録紙の先端部に当接するように摩擦パッドを設けている。記録紙は、摩擦バッドに当接した状態で給紙トレイに立てかけられているので、各記録紙の先端部と摩擦パッドとの間で摩擦力が作用することにより、給紙トレイに保持されたままで維持される。そして、記録紙の給紙時には、例えば、装填された記録紙のうち最も上方のものに給紙方向に力が加えられ、その記録紙が撓って摩擦パッド上に摺接されて給紙トレイに装填されている他の記録紙から分離され、その記録紙のみが筐体内部に給紙されるように構成されている。
【０００３】
しかしながら、上記のように摩擦パッドを設けている場合でも、例えばフォトペーパー等、紙厚が大きい記録紙や、いわゆるコシが強い記録紙等を用いた場合には、記録紙を１枚のみに分離することが困難になるという問題がある。すなわち、このような記録紙は撓りにくいため、給紙する記録紙と他の記録紙とが分離されにくく、複数枚同時に重送されたり、１枚も給紙できなかったりし、給紙に失敗することがある。このような問題点の解決策は、上記特許文献１では考慮されていない。
【０００４】
なお、特許文献２及び特許文献３には、給紙ローラと、給紙ローラに対向して配置された分離パッドにより記録紙を１枚ずつ給紙する画像読取装置の構造が示されている。特許文献２に示されている画像読取装置では、給紙ローラにプロセスオイルを添加し、分離パッドを耐油性として、異音の発生を防止している。また、特許文献３に示されている画像読取装置では、ニップ部の摩擦シートの裏面を、弾性部材と、マウントと一体の硬質部材の２種類の材料を用いて構成し、重送防止性を向上させている。しかしながら、これらの特許文献２又は特許文献３に示されている構成は、給紙ローラと分離パッドとの間に記録紙を挟むようにした上で給紙ローラを回動させて記録紙を給紙するものであって、摩擦パッドに記録紙を摺接させつつ記録紙を一枚ずつ給紙するものではなく、部品点数が多く構成が複雑で、製造コストが増大してしまう等といった問題が生じるため、上記問題点に対する解決策として適用することができない。
【特許文献１】特開２００３‐４０４７１号公報
【特許文献２】特開平１１‐３５１８２号公報
【特許文献３】特開平９‐１２４１７４号公報
【発明の開示】
【発明が解決しようとする課題】
【０００５】
本発明は、上記問題点を鑑みてなされたものであり、種々の記録紙を１枚ずつ適正に筐体内部に給紙可能な画像形成装置を提供することを目的とする。
【課題を解決するための手段】
【０００６】
上記目的を達成するため、請求項１の発明は、筐体と、前記筐体の背面側に設けられ、記録紙が、その先端部が前記筐体に当接した状態で立てかけられ装填される給紙トレイと、前記筐体に取り付けられ、前記給紙トレイに装填された記録紙の先端部に当接するように配置されたゴム部材からなる摩擦パッドと、前記給紙トレイに装填された記録紙のうち最も上方の記録紙に当接した状態で回動し、その記録紙を、前記摩擦パッドに摺接させながら前記筐体内部に略水平に給紙する給紙ローラと、前記給紙ローラにより給紙された記録紙を筐体内部で搬送する搬送手段と、前記搬送手段により搬送されている記録紙の上に画像を形成する画像形成手段と、前記画像形成手段により画像が形成された記録紙を装置外部に搬送する排紙手段と、前記排紙手段により搬送され、前記筐体の外部に排出された記録紙を受け止めるための排紙トレイと、前記筐体内部に設けられ、前記給紙手段、前記画像形成手段、及び前記排紙手段の動作を制御する制御部とを備え、前記摩擦パッドは、その上部に、記録紙の搬送方向が長手方向となるように形成された摩擦部を有しており、記録紙の給紙時に、前記給紙ローラに当接する記録紙が、前記摩擦部に摺接しながら筐体内部に搬送され、その他の記録紙は、前記摩擦部に当接していることにより前記給紙トレイに保持された状態で維持されるように構成された画像形成装置であって、前記摩擦パッドは、前記記録紙の搬送方向の略中央部を境に、搬送方向上流側の部位と搬送方向下流側の部位とで互いに異なる材質のゴム部材を用いて一体に構成されており、前記記録紙の搬送方向下流側の部位は、搬送方向上流側の部位を構成するゴム部材よりも硬度が高いゴム部材により構成されており、それにより、紙厚が大きい記録紙であっても、適正に１枚ずつ前記筐体内部に給紙されるように構成されているものである。
【０００７】
請求項２の発明は、筐体と、前記筐体に設けられており、記録紙が立てかけられるようにして装填される給紙トレイと、前記給紙トレイに装填された記録紙の先端部が当接するように前記筐体に取り付けられた樹脂製の摩擦パッドとを有し、前記給紙トレイに装填された記録紙を、前記摩擦パッドに摺接させながら前記筐体内部に略水平に給紙し、給紙された記録紙を前記筐体内部で搬送しながら画像を形成する画像形成装置であって、前記摩擦パッドは、前記摩擦パッドの前記記録紙の搬送方向上流側の部位よりも搬送方向下流側の部位のほうが、前記摩擦パッドの硬度が高くなるように構成されているものである。
【０００８】
請求項３の発明は、請求項２の発明において、前記摩擦パッドは、前記記録紙の搬送方向の略中央部を境に、搬送方向上流側の部位と搬送方向下流側の部位とで互いに異なる硬度の樹脂を用いて一体成型されており、前記記録紙の搬送方向下流側の部位は、搬送方向上流側の部位を構成する樹脂よりも硬度が高い樹脂により構成されているものである。
【発明の効果】
【０００９】
請求項１の発明によれば、摩擦パッドが互いに材質の異なる２つのゴム部材を用いて、いわゆる２色成型されており、記録紙の搬送方向上流側の部位より、搬送方向下流側の部位のほうが摩擦部の硬度が高いので、記録紙の先端部と摩擦パッドの搬送方向下流側の部位とが摺接する際に記録紙に作用する抵抗力が、記録紙の先端部と摩擦パッドの搬送方向上流側の部位とが摺接する際に記録紙に作用する抵抗力よりも小さくなる。そのため、最も上方の記録紙が、給紙中に摩擦パッドの搬送方向下流側の部位と摺接する状態となったとき、給紙トレイに装填されている他の記録紙と比較して給紙方向に向けて搬送されやすくなる。従って、例えば、紙厚が大きい記録紙や、いわゆるコシが強い記録紙等、種々の記録紙を、１枚ずつ適正に筐体内部に給紙することができる。また、摩擦パッドは２色成型で一体に構成可能であるので、摩擦パッドを容易に低コストで製造可能であり、画像形成装置の製造コストを低コストに保つことが可能になる。
【００１０】
請求項２の発明によれば、摩擦パッドが、記録紙の搬送方向上流側の部位より搬送方向下流側の部位のほうが摩擦部の硬度が高くなるように構成されているので、上述と同様に、最も上方の記録紙が、摩擦パッドの搬送方向下流側の部位と摺接する状態となったとき、給紙トレイに装填されている他の記録紙と比較して給紙方向に向けて搬送されやすくなる。従って、種々の記録紙を、１枚ずつ適正に筐体内部に給紙することができる。
【００１１】
請求項３の発明によれば、摩擦パッドが、記録紙の搬送方向上流側の部位と、搬送方向下流側の部位とで異なる樹脂を用いて一体成型されているので、摩擦パッドを容易に低コストで製造可能であり、画像形成装置の製造コストを低コストに保つことが可能になる。
【発明を実施するための最良の形態】
【００１２】
以下、本発明の一実施形態について図面を参照しつつ説明する。図１及び図２は、本実施形態に係る画像形成装置の一例であるフォトプリンタ（以下、画像形成装置１と称する）の概略構成を示している。
【００１３】
画像形成装置１は、記録紙Ｐが装填され、保持される給紙トレイ２と、給紙トレイ２に保持された記録紙Ｐを搬送する搬送機構３と、搬送機構３によって搬送された記録紙Ｐに画像を形成する画像形成部（画像形成手段）４と、画像形成部４によって画像が形成され排出された記録紙Ｐを受け止める排紙トレイ５と、搬送機構３及び画像形成部４を収容する筐体６と、電子回路等で構成され搬送機構３及び画像形成部４の制御を行う制御部５０などで構成されている。図２に示すように、給紙トレイ２は筐体６の背面に、記録紙Ｐの載置面が筐体６に向け傾斜するように立設されている。筐体６の内部には、記録紙Ｐの搬送経路となる略水平の通紙面６ａが設けられている。記録紙Ｐは、その先端部が筐体６の通紙面６ａに当接した状態で、給紙トレイ２に立てかけられるようにして装填される。
【００１４】
搬送機構３は、給紙トレイ２に保持された記録紙Ｐを筐体６の内部に給紙するための給紙ローラ３１と、給紙ローラ３１により給紙された記録紙Ｐを画像形成部４による画像形成位置まで搬送する第１搬送機構（搬送手段）３ａと、画像形成部４によって画像が形成された記録紙を排紙トレイ５に搬送する第２搬送機構（排紙手段）３ｂと、給紙ローラ３１、第１搬送機構３ａ、及び第２搬送機構３ｂを駆動するためのフィードモータ３０などで構成されている。給紙ローラ３１は、給紙トレイ２に装填されている記録紙Ｐのうち、最も上方のものに当接して回動することにより、その記録紙Ｐを筐体６に向けて給紙する。記録紙Ｐは、給紙トレイ２に立てかけられた状態から筐体６の内部に給紙されると、通紙面６ａに沿って略水平な姿勢となる。そして、筐体６の内部で、第１搬送機構３ａ、第２搬送機構３ｂにより、図２に矢印Ｆで示す搬送方向に、略水平に搬送される。
【００１５】
第１搬送機構３ａは、画像形成部４のプリントヘッド４３の上流側に設けられ、給紙ローラ３１によって送出された記録紙Ｐをプリントヘッド４３の側に送出する搬送ローラ３２と、記録紙Ｐを搬送ローラ３２に押圧する押圧ローラ３３等によって構成されている。また、第２搬送機構３ｂは、画像が形成された記録紙Ｐを排紙トレイ５に搬送する排紙ローラ３８と、記録紙Ｐを排紙ローラ３８に押圧するスターホイール３９等によって構成されている。
【００１６】
画像形成部４は、インクジェット方式により記録紙Ｐに画像を形成するように構成されており、インクが充填されたインクカートリッジ４０と、インクカートリッジ４０を支持しながら、記録紙Ｐの搬送方向Ｆに略直交する主走査方向に往復移動するキャリア４１と、キャリア４１を駆動するキャリア駆動モータ４２等によって構成されている。インクカートリッジ４０の下面には、記録紙Ｐにインクを吐出するプリントヘッド４３が設けられている。キャリア４１は、主走査方向に略平行に配設されたシャフト４４によって往復移動自在に支持され、キャリア駆動モータ４２に駆動されて移動する。キャリア駆動モータ４２の出力は、ベルト等を介してキャリア４１に伝達される。制御部５０の制御のもと、フィードモータ３０及びキャリア駆動モータ４２の駆動に同期させてプリントヘッド４３からインクが吐出され、記録紙Ｐに画像が形成される。
【００１７】
図１に示すように、筐体６の上面には、画像形成装置１を持ち運ぶ際に把持されるハンドル７が回動自在に設けられている。筐体６の前面には、例えば着脱可能なメモリが装着されるカード用コネクタ５３ａと、直接又はケーブルを介して、デジタルスチルカメラ等、他の電子機器が接続されるＵＳＢコネクタ５３ｂ等が配置されている。また、筐体６の上面には、プリントする画像や動作状態等を表示する液晶パネル５４や、プリントする画像の選択やプリント枚数を設定するためなどに用いられる操作ボタン５５、装置の電源をオンオフしたり、各種設定を行うために操作ボタン５５等と一緒に用いられる補助ボタン５９等が配置されている。筐体６の内部において、その上部には、カード用コネクタ５３ａ、ＵＳＢコネクタ５３ｂ、液晶パネル５４等が接続され、ＣＰＵやメモリ等が実装された制御基板５１と、制御基板５１に接続され、操作ボタン５５と補助ボタン５９に対応するように複数のタクトスイッチ等が実装されたスイッチ基板５２とがそれぞれ略水平に配置され、これらの制御基板５１、スイッチ基板５２により、制御部５０が構成されている。
【００１８】
図３は、給紙トレイ２と筐体６の通紙面６ａを示す。図の矢印Ｆは、記録紙Ｐの給紙・搬送方向を示す。この画像形成装置１では、図に示すように、通紙面６ａの給紙トレイ２が取り付けられている部位近傍の略中央部に分離機構２０が配置されている。分離機構２０は、その上部に給紙トレイ２に装填されている記録紙Ｐの先端部が当接するように配置されており、給紙トレイ２に装填され給紙ローラ３１により給紙される記録紙Ｐが、分離機構２０に摺接することにより、他の記録紙Ｐから分離されて給紙トレイ２から筐体６内部に１枚ずつ給紙されるように構成されている。
【００１９】
図４は、分離機構２０を示す。分離機構２０は、ゴム素材により形成されている摩擦パッド２１と、摩擦パッド２１の上部を覆うように形成された樹脂部材であるカバー２５とにより構成されている。分離機構２０は、記録紙Ｐの搬送方向Ｆが長手方向となるように、筐体６に配置される。
【００２０】
摩擦パッド２１は、図４に示すように、記録紙Ｐの搬送方向Ｆに垂直な断面が、上方に凸となる山形となるように形成されている。摩擦パッド２１の上部には、搬送方向Ｆに沿って長手方向に形成され、例えば上部に鋸歯形状を有する摩擦部２１ａが設けられている。カバー２５の上面には、摩擦パッド２１の摩擦部２１ａが貫通するように孔部２５ａが形成されている。また、カバー２５の両側部には、通紙面６ａの分離機構２０が配置される位置に設けられている取り付け部（図示せず）に係合するように係合部２５ｂが形成されている。摩擦パッド２１は、その上面からカバー２５が被せられ、孔部２５ａから摩擦部２１ａがカバー２５の上面に露出するようにしてカバー２５の内部に装着される。そして、摩擦パッド２１とカバー２５とが組み合わされて構成された分離機構２０は、係合部２５ｂが取り付け部に係合されることにより、通紙面６ａ上に固定される。給紙トレイ２に装填された記録紙Ｐは、その先端部が分離機構２０の上面に露出している摩擦部２１ａに当接した状態となる。すなわち、記録紙Ｐは、摩擦部２１ａと各記録紙Ｐの先端部との間で生じている静止摩擦力により、給紙トレイ２上から筐体６内部に向け滑らないように、給紙トレイ２に保持される。
【００２１】
ここで、本実施形態においては、摩擦パッド２１は、その長手方向の略中央部、すなわち記録紙Ｐの搬送方向Ｆの略中央部を境に、記録紙Ｐの搬送方向上流側の部位（以下、上流部位と称する）２１ｓと搬送方向下流側の部位（以下、下流部位と称する）２１ｈとで、互いに異なる材質のゴム部材を用いて構成されている。上流部位２１ｓは、比較的柔らかい、すなわち硬度が低いゴム部材により形成され、上方からその摩擦部２１ａが下方に押し込まれたときに変形しやすいように構成されている。他方、下流部位２１ｈは、上流部位２１ｓよりも硬度が高いゴム部材により構成され、摩擦部２１ａが下方に押し込まれたときに上流部位２１ｓよりも変形しにくいように構成されている。摩擦パッド２１は、上記の材質の異なる２種類のゴム部材を用いて、いわゆる２色成型により一体的に構成されている。
【００２２】
次に、図５を参照しつつ、記録紙Ｐの給紙動作について説明する。図５は、給紙トレイ２に装填されている記録紙Ｐの先端部近傍を示す。図において、分離機構２０については、説明のため、摩擦パッド２１のみを示している。記録紙Ｐは、給紙トレイ２に装填された状態では、その先端部が、摩擦パッド２１のうち上流部位２１ｓの摩擦部２１ａに当接した状態で保持されている。給紙ローラ３１が回動すると、給紙トレイ２に装填されている記録紙Ｐのうち、給紙ローラ３１が当接している最も上方の記録紙Ｐ０が、図に示すように給紙トレイ２の下方、すなわち摩擦パッド２１に向けて付勢される。そして、給紙ローラ３１の回動に伴い、記録紙Ｐ０の先端部近傍部位が撓った状態となりつつ、摩擦パッド２１の摩擦部２１ａに摺接され、記録紙Ｐ０が搬送方向Ｆに向けスライドされていく。このとき、記録紙Ｐ０が給紙ローラ３１により付勢されると、記録紙Ｐ０の下方の記録紙Ｐ１や、その下方の記録紙Ｐ２も、それぞれ、記録紙Ｐ０と記録紙Ｐ１との間の摩擦力、記録紙Ｐ１と記録紙Ｐ２との間の摩擦力により、摩擦パッド２１に向けて付勢される。ここで、記録紙Ｐ０の先端部が下流部位２１ｈの摩擦部２１ａに摺接するようになると、記録紙Ｐ０の先端部と摩擦パッド２１とが摺接する際に記録紙Ｐに作用する搬送方向Ｆへのスライドに対する抵抗力が、記録紙Ｐ０が上流部位２１ｓに摺接する際に記録紙Ｐ０に作用する抵抗力よりも小さくなる。すなわち、このとき、記録紙Ｐ０に作用する搬送方向Ｆへのスライドに対する抵抗力が記録紙Ｐ１，Ｐ２等の他の記録紙Ｐに作用する抵抗力より小さくなり、記録紙Ｐ０が他の記録紙Ｐよりも搬送方向Ｆにスライドしやすくなるので、記録紙Ｐ０が他の記録紙Ｐから分離されて、筐体６の内部に略水平に給紙され、他の記録紙Ｐは給紙トレイ２に保持されたままで維持される。
【００２３】
このように、本実施形態においては、摩擦パッド２１が、下流部位２１ｈのほうが上流部位２１ｓよりも硬度が高いゴム素材を用いて構成されているので、例えば、紙厚が大きい記録紙や、いわゆるコシが強い記録紙等、種々の記録紙Ｐを、１枚ずつ適正に筐体６の内部に給紙することができる。また、摩擦パッド２１は、２つのゴム部材によりいわゆる２色成型により一体に構成可能であるので、摩擦パッド２１を容易に低コストで製造可能であり、画像形成装置１の製造コストを低コストに保つことが可能になる。
【００２４】
なお、本発明は上記実施形態の構成に限定されるものではなく、発明の趣旨を変更しない範囲で適宜に種々の変形が可能である。例えば、摩擦パッドは、記録紙の搬送方向Ｆに沿って、徐々に硬度が高くなるように構成されていてもよく、その搬送方向上流側の部位よりも、搬送方向下流側の部位のほうが硬度が高くなるように構成されていればよい。また、画像形成部は、上記のようにインクジェット方式により画像を形成するものに限られず、例えば、電子写真方式により画像を形成するように構成されていてもよい。
【図面の簡単な説明】
【００２５】
【図１】本発明の一実施形態に係る画像形成装置を示す斜視図。
【図２】上記装置の構成を示す側面図。
【図３】上記装置の給紙トレイが設けられている部位を示す斜視図。
【図４】上記装置の分離機構を示す斜視図。
【図５】上記装置の記録紙の給紙時の摩擦パッドを示す側断面図。
【符号の説明】
【００２６】
１  画像形成装置
２  給紙トレイ
３ａ  搬送機構（搬送手段）
３ｂ  搬送機構（排紙手段）
４  画像形成部（画像形成手段）
５  排紙トレイ
６  筐体
２１  摩擦パッド
２１ａ  摩擦部
３１  給紙ローラ
５０  制御部
Ｆ  搬送方向
Ｐ，Ｐ０，Ｐ１，Ｐ２  記録紙
【図１】
2008150167.tif 000003
【図２】
2008150167.tif 000004
【図３】
2008150167.tif 000005
【図４】
2008150167.tif 000006
【図５】
2008150167.tif 000007